(57)【要約】【課題】美観が保たれ、他の商品との差別化を図ることができる収納縁台を提案する。【解決手段】防災物品等を収納可能な収納縁台において、天面板を回動機構を介して背面合わせで回転可能に保持される少なくとも二枚のパネルで構成し、各パネルの下面部に下方に向けて開放された凹所をそれぞれ設ける。回転機構は、少なくとも先端部分が該凹所の各々の内側に位置する少なくとも二本の支柱と、該二本の支柱を固定保持するベースと、該凹所の各々の内側に設置、固定され、枢軸を介して該二本の支柱にそれぞれつながる一対のアームとを備えたものとする。【選択図】  図２
2020058721.tif 000002
【特許請求の範囲】
【請求項１】
収納空間の底部を形成する底面板と、該底面板の縁部において立ち上がり該底面板と協働してその内側に上部が開放された収納空間を区画形成する側面板と、該側面板に沿い間隔を隔てて起立するとともに該側面板の強度を補償する複数本の脚部と、該収納空間の上部に合わさって該収納空間を密閉し、かつ、上面を座面とする天面板とを備えた収納縁台であって、
前記天面板は、その下面部に下方に向けて開放された凹所をそれぞれ有し、回動機構を介して背面合わせで回動可能に保持される少なくとも二枚のパネルからなり、
該回動機構は、該収納空間の密閉時に少なくとも先端部分が該凹所の各々の内側に位置する少なくとも二本の支柱と、該二本の支柱を固定保持するベースと、該凹所の各々の内側に設置、固定され、枢軸を介して該二本の支柱にそれぞれつながる一対のアームとを備え、
該一対のアームは、各パネルの回動外縁端側でそれぞれ該二本の支柱に隣接配置されるものである、ことを特徴とする収納縁台。
【請求項２】
前記天面板は、一端が前記側面板に連結され、他端が該天面板に連結されてその伸縮により該天面板を任意の回動角度に保持可能なシリンダーを有することを特徴とする請求項１に記載した収納縁台。
【請求項３】
前記天面板は、前記側面板の上端部に直接載置され、前記収納空間の上部を覆う単一の板本体と、該板本体の上面で該板本体の一方の端縁から対向するもう一方の端縁に向けて隙間を隔てて配列される複数本の偏平矩形断面を有する幅狭、長尺の板状部材からなる、ことを特徴とする請求項１または２に記載した収納縁台。
【発明の詳細な説明】
【技術分野】
【０００１】
本発明は、防災物品等を収納しておくのに便利な収納縁台に関するものである。
【背景技術】
【０００２】
内部に防災物品等を収納しておき、天板の上部を座面として使用できる収納庫としては、従来、特許文献１のようなベンチストッカーが知られている。
【０００３】
かかるベンチストッカーは、天板を開くことにより物品の出し入れを可能とし、天板を閉じることにより座席を有するベンチとして利用できるものであって、該天板は、ストッカー本体の一側部にヒンジを介して回動自在に取り付けられた構造となっている。
【０００４】
ところで、この種の収納庫は、物品の収納空間の大小にかかわらず該収納空間を単一の天板で開閉するのが普通であり、どの商品も構造上大差がなく、他の商品との差別化を図るのが難しいものであった。なお、使い勝手の改善を図るとともに、他の商品との差別化を図るべく、天板を二枚の板材で構成し、それを背面合わせで回動させて収納空間を開閉する試みもなされているが、天板を回動させる回動機構部分が表に現れるのが避けられないため美観が損なわれることとなり、未だ改善の余地が残されている。
【先行技術文献】
【特許文献】
【０００５】
【特許文献１】実用新案登録第３２１１７７２号公報
【発明の概要】
【発明が解決しようとする課題】
【０００６】
本発明の課題は、天面板を背面合わせで回動可能とすることにより物品の収納空間を開閉することができ、かつ、該天面板を回動させる回動機構が外表面に現れることのない、美観の良好な収納縁台を提案するところにある。
【課題を解決するための手段】
【０００７】
本発明は、収納空間の底部を形成する底面板と、該底面板の縁部において立ち上がり該底面板と協働してその内側に上部が開放された収納空間を区画形成する側面板と、該側面板に沿い間隔を隔てて起立するとともに該側面板の強度を補償する複数本の脚部と、該収納空間の上部に合わさって該収納空間を密閉し、かつ、上面を座面とする天面板とを備えた収納縁台であって、前記天面板は、その下面部に下方に向けて開放された凹所をそれぞれ有し、回動機構を介して背面合わせで回動可能に保持される少なくとも二枚のパネルからなり、該回動機構は、該収納空間の密閉時に少なくとも先端部分が該凹所の各々の内側に位置する少なくとも二本の支柱と、該二本の支柱を固定保持するベースと、該凹所の各々の内側に設置、固定され、枢軸を介して該二本の支柱にそれぞれつながる一対のアームとを備え、該一対のアームは、各パネルの回動外縁端側でそれぞれ該二本の支柱に隣接配置されるものである、ことを特徴とする収納縁台である。
【０００８】
上記の構成からなる収納縁台において、前記天面板は、一端が前記側面板に連結され、他端が該天面板に連結されてその伸縮により該天面板を任意の回動角度に保持可能なシリンダーを有することが好ましく、また、前記天面板は、前記側面板の上端部に直接載置され、前記収納空間の上部を覆う単一の板本体と、該板本体の上面で該板本体の一方の端縁から対向するもう一方の端縁に向けて隙間を隔てて配列される複数本の偏平矩形断面を有する幅狭、長尺の板状部材からなることが好ましい。
【発明の効果】
【０００９】
本発明の収納縁台によれば、天面板を構成するパネルの下面部に下方に向けて開放された凹所をそれぞれ設け、回動機構を、該収納空間の密閉時に少なくとも先端部分が該凹所の内側に位置する少なくとも二本の支柱と、該二本の支柱を固定保持するベースと、該凹所の内側に設置、固定され、枢軸を介して該支柱につながる一対のアームとを備えもので構成するとともに該一対のアームを、各パネルの回動外縁端側にそれぞれ配置するようにしたため、天面板を回動可能に保持する回動機構は収納縁台の外表面に露出することがなくなり美観が保たれる。
【００１０】
また、本発明の収納縁台によれば、収納空間は、天面板を背面合わせで回動させることにより開閉するため、単一の天板を回動させて収納空間を開閉するものと比較して物品の出し入れが容易となり使い勝手がよく、他の収納縁台との差別化も図りやすい。
【図面の簡単な説明】
【００１１】
【図１】本発明にしたがう収納縁台の外観斜視図である。
【図２】図１に示した収納縁台において収納空間を開放した状態を示した図である。
【図３】図１に示した収納縁台において天面板を取り外した状態を示した図である。
【図４】本発明にしたがう収納縁台の要部（回動内縁端側）を拡大して示した断面図である（収納空間が密閉された状態）。
【図５】本発明にしたがう収納縁台の要部（回動内縁端側）を拡大して示した断面図である（収納空間が片側において開放された状態）。
【図６】回動機構を分解状態で示した外観斜視図である。
【図７】本発明にしたがう収納縁台の他の実施の形態を示した図である。
【発明を実施するための形態】
【００１２】
以下、図面を用いて本発明をより具体的に説明する。
図１は、本発明にしたがう収納縁台の外観斜視図であり、図２は、図１に示した収納縁台において収納空間を開放した状態を示した図である。また、図３は、図１に示した収納縁台において天面板を取り外した状態を示した図であり、図４、図５は、本発明にしたがう収納縁台の要部を拡大して示した断面図である。
【００１３】
図１〜５における符号１は、収納空間Ｍの底部を形成する底面板（図２、図３参照）、２は、底面板１の縁部において立ち上がり該底面板１と協働してその内側に上部が開放された収納空間Ｍを形成する側面板、３は、側面板２に沿い間隔を隔てて起立するとともに該側面板２の強度を補償する脚部、４は、収納空間Ｍの上部に合わさって収納空間Ｍを密閉し、かつ、上面を座面とする天面板である。天面板４は、二枚で一組になるパネル４ａ、４ｂから構成されている。
【００１４】
パネル４ａ、４ｂとしては、側面板２の上端部に直接載置され、収納空間Ｍの上部を覆う単一のパネル本体４ｃ、４ｄと、パネル本体４ｃ、４ｄの上面で一方の端縁から対向するもう一方の端縁に向けて隙間ｄを隔てて配列される複数本の偏平矩形断面を有する幅狭、長尺の板状部材４ｅ１〜４ｅ７、４ｆ１〜４ｆ７から構成されるものを適用することができ、パネル４ａ、４ｂの回動内縁端に位置する部位の下面部には、図４、図５に示すように、パネル本体４ｃ、４ｄおよび板状部材４ｅ１、４ｆ１に欠き込み加工を施すことにより形成された、凹所４ｇ、４ｈが設けられている。凹所４ｇ、４ｈは、下方に向けて開放されたものからなる。
【００１５】
なお、本発明の実施の形態では、底面板１を単一部材からなるものとし、側面板２を４枚の板材、脚部３を４本の棒状部材、天面板４を二枚のパネル４ａ、４ｂを用いて構成されたものを例として示したが、本発明にしたがう収納縁台は、図示したものに限定されることはなく、種々の平面形状に適宜変更することができる。底面板１、側面板２、天面板４、脚部３は、アルミ合金等からなる材料を用いて製作することができる。
【００１６】
また、符号５は、パネル４ａ、４ｂを背面合わせで回動可能に保持する回動機構である。回動機構５は、その外観斜視図を分解状態で図６に示すように、収納空間Ｍの閉塞時に少なくとも先端部分が凹所４ｇ、４ｈの各々の内側に位置する支柱５ａ、５ｂと、支柱５ａ、５ｂを固定保持する単一のベース５ｃと、凹所４ｇ、４ｈの各々の内側に設置、固定され、枢軸Ｓ１、Ｓ２を介して支柱５ａ、５ｂにつながる一対のアーム５ｄ、５ｅから構成されている。支柱５ａ、５ｂは、ここではそれぞれ二本で一組になるものを例として示している。ベース５ｃは、支柱５ａ、５ｂをそれぞれ単独で固定保持するものとしてもよく、また、支柱５ａ、５ｂは、それ自体の高さを極力抑えるために上部に開口を形成したものを適用するのが好ましい。
【００１７】
アーム５ｄ、５ｅは、パネル４ａ、４ｂの回動外縁端側で、支柱５ａ、５ｂのそれぞれに隣接して設けられる。回動機構５は、一枚のパネルに対して一つ以上、好ましくは、その幅方向において二組設けることができるが、収納空間Ｍのサイズに応じてその個数は任意に変更し得る。なお、本発明において回動外縁端とは、パネル４ａ、４ｂを構成する板状部材４ｅ１〜４ｅ７、４ｆ１〜４ｆ７のうちの板状部材４ｅ７、４ｆ７が位置する部位をいうものとする。
【００１８】
また、符号６は、側面板２の上端部で対向位置の相互間に差し渡されたチャンネル部材である。チャンネル部材６は、回動機構５を設置するために設けられるものである。チャンネル部材６としてはその断面形状についてはとくに限定されることはないが、Ｕ字断面をなすものを用い、その長手方向の端部を側面板２の上部で開放しておくことによりチャンネル部材６の上に雨水等が流れ込んだとしてもそれを開放部分を通して外部へ効率的に排出することができる。
【００１９】
さらに、符号７は、一端が側面板２の内側にブラケット（ねじあるいは溶接により固定されたもの）を介して回動可能に連結され、他端が天面板４のパネル本体４ｃ、４ｄにブラケット（ねじあるいは溶接により固定されたもの）を介して回動可能に連結されてその伸縮により該天面板４を任意の回動角度に保持することができるシリンダー、符号８は、側面板２の上端部の全周にわたって設けられ、雨水等の、収納空間Ｍへの侵入を防止するシール用のゴムパッキンである。
【００２０】
本発明にしたがう収納縁台は、パネル４ａ、４ｂを回動可能に保持する回動機構５が、該パネル４ａ、４ｂの下部に設けられた凹所４ｇ、４ｈにおいて組み付けられ、収納縁台の外表面に現れることがない構造になっており、しかも、天面板４を構成する板状部材４ｅ１〜４ｅ７、４ｆ１〜４ｆ７は、全面にわたって等間隔に配列されていることから、天面板４のパネル４ａ、４ｂがどの部分を起点にして回動するのか判別しにくくなっており、収納縁台の美観が保たれるようになっている。
【００２１】
また、本発明にしたがう収納縁台は、天面板４のパネル４ａ、４ｂが背面合わせで回動可能であり収納空間Ｍへの物品の出し入れが容易であることから使い勝手がよく、他の収納縁台との差別化を図ることができる利点を有している。
【００２２】
図７は、本発明にしたがう収納縁台の他の実施の形態を示した図である。天面板４は、図７に示すように、収納空間Ｍの大きさに応じてパネル４ａ、４ｂを二組、あるいはそれ以上設けることも可能であり、これにより収納空間Ｍの収納容量を拡大することができる。
【産業上の利用可能性】
【００２３】
本発明によれば、天面板を回動可能に保持する回動機構が外表面に現れることがない美観の良好な収納縁台が提供できる。また、本発明によれば、天面板を構成するパネルを背面合わせに回動させることにより収納空間を開放して物品の出し入れを可能とした使い勝手のよい収納縁台が提供できる。
【符号の説明】
【００２４】
１      底面板
２      側面板
３      脚部
４      天面板
４ａ、４ｂ  パネル
４ｃ、４ｄ  パネル本体
４ｅ１〜４ｅ７  板状部材
４ｆ１〜４ｆ７  板状部材
４ｇ、４ｈ  凹所
５      回動機構
５ａ、５ｂ  支柱
５ｃ      ベース
５ｄ、５ｅ  アーム
６      チャンネル部材
７      シリンダー
８      ゴムパッキン
【図１】
2020058721.tif 000003
【図２】
2020058721.tif 000004
【図３】
2020058721.tif 000005
【図４】
2020058721.tif 000006
【図５】
2020058721.tif 000007
【図６】
2020058721.tif 000008
【図７】
2020058721.tif 000009